(57)【要約】  【課題】  負傷者等の身体を搬送板上に動かないように速やかに確実に固定することができ、その解除も容易で、しかも負傷者等の手の動きにも対応できるようにする。  【解決手段】  負傷者等の身体Ｐを載せる搬送板１と、身体Ｐを搬送板１上に固定するための身体固定用バンドＢａとを備え、搬送板１に身体固定用バンドＢａを通す開口４ａ，４ｂ，４ｃが形成され、身体固定用バンドＢａは、面ファスナーＦ１により構成されるか、面ファスナーＦ１が部分的に配されて構成され、この身体固定用バンドＢａを搬送板１の任意の開口４ａ，４ｂ，４ｃに通しながら負傷者等の身体Ｐを捲き回わすようにして、面ファスナーＦ１の止着の性質により固定する。身体固定用バンドＢａとは別に身体の手を固定するための手固定用バンドＴも、その全体が面ファスナーにより構成されるか、部分的に面ファスナーが設けられている。【選択図】  図１
2005021588.tif 000002
【特許請求の範囲】
【請求項１】
負傷者等の身体を載せる搬送板と、身体を搬送板上に固定するための身体固定用バンドとを備え、搬送板に身体固定用バンドを通す開口が形成され、身体固定用バンドは、面ファスナーにより構成されるか、或いは、面ファスナーが部分的に配されて構成され、この身体固定用バンドを搬送板の開口に通しながら負傷者等の身体を捲き回わすようにして、面ファスナーの止着の性質により固定することを特徴とする救命搬送具。
【請求項２】
前記身体固定用バンドとは別に身体の手を固定するための手固定用バンドを備え、この手固定用バンドは、その全体が面ファスナーにより構成されるか、或いは、部分的に面ファスナーが設けられ、身体を搬送板上に固定する身体固定用バンドと止着させることを特徴とする請求項１記載の救命搬送具。
【請求項３】
請求項１記載の救命搬送具を使用して、身体固定用バンドの中央を搬送板上に寝かせた身体の所定箇所に押さえ付けるように配してから、身体固定用バンドの両端側を搬送板の表側から任意の開口に各々通してから搬送板の他の開口や外周縁から捲き戻すようにして、身体固定用バンドの両端側をその中央側と各々止着させ、及び／又は、身体固定用バンドの両端側を互いに止着させることを特徴とする救命搬送具の使用方法。
【請求項４】
請求項１記載の救命搬送具を使用して、身体固定用バンドの両端側のうちの一端側は、予め搬送板の任意の開口に通してから搬送板の他の開口や外周縁から捲き戻すようにしてその中央側と止着させておき、身体を固定する際には、身体固定用バンドの中央を搬送板上に寝かせた身体の所定箇所に押さえ付けるように配してから、身体固定用バンドの他端側を搬送板の表側から任意の開口に通してから搬送板の他の開口や外周縁から捲き戻すようにしてその中央側と止着させ、及び／又は、身体固定用バンドの両端側を互いに止着させることを特徴とする救命搬送具の使用方法。
【請求項５】
請求項１記載の救命搬送具を使用して、身体固定用バンドの両端側を搬送板の裏側から任意の開口に各々通してから搬送板の表側において、搬送板上に寝かせた身体の所定箇所に押さえ付けるようにしながら、身体固定用バンドの両端側を互いに止着させることを特徴とする救命搬送具の使用方法。
【発明の詳細な説明】
【技術分野】
【０００１】
本発明は、事故などの際に負傷者等を搬送するために使用される救命搬送具及びその使用方法に関する。
【背景技術】
【０００２】
事故などの際に人を搬送するために使用される救命搬送具（タンカとも呼ばれる）は、救急車などに積まれ、事故の現場で使用したり、サッカー、ラクビー、野球などのスポーツの際にも負傷した選手を搬送するためなどに使用されている。この従来の救命搬送具は、左右の棒状部材に剛性の布などを巻き付けたものが多く使用されている。
【０００３】
しかし、上記従来の救命搬送具は、身体を固定する手段を有していないために、搬送者が救命搬送具を傾けると、負傷者等を誤って落下させてしまったり、負傷者等が暴れたりすると、搬送者の搬送作業の妨げになるなどの問題を有する。
【０００４】
このため、図６に示すように、バンドＢａにバックルｂｂ１を取り付けたものが開発されている。この従来例は、二本のバンドＢａ，Ｂａを使用して、一方にバックルｂｂ１を他方にその係止片ｂｂ２を取り付けておき互いに連結するが、身体を載せる搬送板１１に複数の開口１１ａを形成して、この開口１１ａにバックルｂｂ１やその係止片ｂｂ２とは反対側をくくりつけるようにして使用する。そして、負傷者等を搬送するときは、バンドＢａの長さを調整してから、バックルｂｂ１とその係止片ｂｂ２とを連結させる。
【発明の開示】
【発明が解決しようとする課題】
【０００５】
ところで、負傷者等を搬送する搬送救命具に要求されるものとしては、負傷者等の身体を搬送板上に動かないように速やかに確実に固定することができるとともに、その解除も容易で速やかに負傷者等を救命搬送具から降ろすことができることが要求される。これらの速やかな昇降の際に、バンドが邪魔にならないことも必要である。なお、負傷者等が手を動かすと、身体を固定する邪魔になることが多く、このため、手の動作を予め想定した固定状態にすることも速やかな固定作業には必要であるが、他方で、負傷者等の手の動きを完全に制止すると、負傷者等には苦痛を強いる問題も有する。
【０００６】
しかしながら、上記従来のバンドＢａにバックルｂｂ１を取り付けたものでは、負傷者等の身体を搬送板１１上に動かないように速やかに固定することができなかった。すなわち、バンドＢａの長さを調整する分だけ時間が掛かり、速やかに固定することができなかった。また、バンドＢａの長さを調整しても搬送の途中で緩むことがあった。また、上記バンドＢａにより手も固定するために、手の自由が利かないことが、負傷者等には苦痛を強いる等の問題も有していた。また、搬送板１１に予め取り付けておく必要があるために、バンドＢａが救命搬送具を持ち運ぶ際の邪魔になったり、バンドＢａが搬送板１１と負傷者等の身体の間に挟まったりすることがあり、速やかな固定の妨げになることもあった。さらに、例えば、頭部や顔の損傷の場合には、これらの箇所を固定する必要があるが、上記バックルｂｂ１が邪魔になることもあった。脊髄の損傷等の場合は、搬送板１１上にしっかりと何ヶ所も幾重にも固定する必要があるが、上記バックルｂｂ１を備えたバンドＢａを何箇所も幾重にも固定すると、上記バックルｂｂ１が邪魔になったり、時間がかかる問題を有していた。
【０００７】
そこで本発明の目的は、負傷者等の身体を搬送板上に動かないように速やかに確実に固定することができ、その解除も容易で、持ち運ぶ際や負傷者等の身体を固定する際などにも邪魔になることがなく、何箇所も幾重にも使用が可能で、しかも負傷者等の手の動きにも対応することができる救命搬送具及びその使用方法を提供することにある。
【課題を解決するための手段】
【０００８】
上記課題を解決するため本発明の請求項１記載の救命搬送具は、負傷者等の身体を載せる搬送板と、身体を搬送板上に固定するための身体固定用バンドとを備え、搬送板に身体固定用バンドを通す開口が形成され、身体固定用バンドは、面ファスナーにより構成されるか、或いは、面ファスナーが部分的に配されて構成され、この身体固定用バンドを搬送板の任意の開口に通しながら負傷者等の身体を捲き回わすようにして、面ファスナーの止着の性質により固定することを特徴とする。
【０００９】
この発明によれば、負傷者等を搬送板上に寝かせて、面ファスナーにより構成されるか面ファスナーを有する身体固定用バンドの両端側を任意の開口に各々通してから搬送板の他の開口や外周縁から捲き戻すようにする等して、面ファスナーの止着の性質により、負傷者を搬送板上に動かないように速やかに固定することができる。この際、身体固定用バンドを折り返すように使用することから、その長さ調節が行われる。他方、負傷者等を病院などで降ろすときは、面ファスナーによる止着を解除させるだけで、容易に負傷者等を固定状態から解放させることができる。
【００１０】
本発明の請求項２記載の救命搬送具は、請求項１記載の発明を前提として、前記身体固定用バンドとは別に身体の手を固定するための手固定用バンドを備え、この手固定用バンドは、その全体が面ファスナーにより構成されるか、或いは、部分的に面ファスナーが設けられ、身体を搬送板上に固定する身体固定用バンドと止着することを特徴とする。
【００１１】
この発明によれば、手固定用バンドに負傷者等の身体の手を通して、この手固定用バンドの面ファスナーを身体を固定する身体固定用バンドと止着すると、手の固定が可能になる。なお、負傷者等が手で搬送者に合図したい場合など手を動かす必要があるときは、面ファスナーによる止着を解除させるだけで足りる。
【００１２】
本発明の請求項３記載の救命搬送具の使用方法は、請求項１記載の救命搬送具を使用して、身体固定用バンドの中央を搬送板上に寝かせた身体の所定箇所に押さえ付けるように配してから、身体固定用バンドの両端側を搬送板の表側から任意の開口に各々通してから搬送板の他の開口や外周縁から捲き戻すようにして、身体固定用バンドの両端側をその中央側と各々止着させ、及び／又は、身体固定用バンドの両端側を互いに止着させることを特徴とする。
【００１３】
この発明によれば、負傷者等を搬送板上に寝かせて、面ファスナーにより構成されるか面ファスナーを有する身体固定用バンドを負傷者の身体の所定箇所に押さえ付けるように配してから、身体固定用バンドの両端側を搬送板の表側から任意の開口に各々通してから搬送板の他の開口や外周縁から表側に捲き戻すようにして、身体固定用バンドの両端側をその中央側と各々止着させるか、及び／又は身体固定用バンドの両端側を互いに止着させると、負傷者を搬送板上に動かないように速やかに固定することができる。
【００１４】
本発明の請求項４記載の救命搬送具の使用方法は、請求項１記載の救命搬送具を使用して、身体固定用バンドの両端側のうちの一端側は、予め搬送板の任意の開口に通してから搬送板の他の開口や外周縁から捲き戻すようにしてその中央側と止着させておき、身体を固定する際には、身体固定用バンドの中央を搬送板上に寝かせた身体の所定箇所に押さえ付けるように配してから、身体固定用バンドの他端側を搬送板の表側から任意の開口に通してから搬送板の他の開口や外周縁から捲き戻すようにしてその中央側と止着させ、及び／又は、身体固定用バンドの両端側を互いに止着させることを特徴とする。
【００１５】
この発明によれば、身体固定用バンドの両端側のうちの一端側は、予め搬送板の開口に通してから搬送板の他の開口や外周縁から捲き戻すようにしてその中央側と止着させておくために、搬送板と身体固定用バンドを別々に搬送する必要がなく、身体固定用バンドを忘れたり紛失したりするが防止される。そして、負傷者等を搬送する場合は、身体固定用バンドの中央を搬送板上に寝かせた身体の所定箇所に押さえ付けるように配してから、身体固定用バンドの他端側を搬送板の開口に通してから搬送板の他の開口や外周縁から捲き戻すようにしてその中央側と止着させるか、及び／又は、身体固定用バンドの両端側を互いに止着させると、負傷者を搬送板上に動かないように速やかに固定することができる。
【００１６】
本発明の請求項５記載の救命搬送具の使用方法は、請求項１記載の救命搬送具を使用して、身体固定用バンドの両端側を搬送板の裏側から任意の開口に各々通してから搬送板の表側において、搬送板上に寝かせた身体の所定箇所に押さえ付けるようにしながら、身体固定用バンドの両端側を互いに止着させることを特徴とする。
【００１７】
この発明によれば、身体固定用バンドの両端側を搬送板の開口に各々通してから搬送板の他の開口や外周縁から捲き戻すようにして、搬送板上に寝かせた身体の所定箇所に押さえ付けるようにしながら、身体固定用バンドの両端側をその中央側と各々止着させるか、及び／又は、身体固定用バンドの両端側を互いに止着させると、負傷者を搬送板上に動かないように速やかに固定することができる。
【発明の効果】
【００１８】
本発明の請求項１記載の救命搬送具によれば、負傷者等を搬送板上に寝かせて、面ファスナーにより構成されるか面ファスナーを有する身体固定用バンドの両端側を任意の開口に各々通してから搬送板の他の開口や外周縁から捲き戻すようにする等して、その長さを調節しながら、面ファスナーの止着の性質により、負傷者を搬送板上に動かないように速やかに固定することができる。他方、負傷者等を病院などで降ろすときは、面ファスナーによる止着を解除させるだけで、容易に負傷者等の固定状態から解放させることができる。
【００１９】
また、本発明の請求項２記載の救命搬送具によれば、手固定用バンドに負傷者等の身体の手を通して、この手固定用バンドの面ファスナーを身体を固定する身体固定用バンドと止着すると、手の固定が可能になり、負傷者等が手で搬送者に合図したい場合など手を動かす必要があるときは、容易に止着を解除することも可能である。
【発明を実施するための最良の形態】
【００２０】
以下、本発明の一実施の形態を図面に基づき説明する。
【実施例１】
【００２１】
図１は本発明の一実施の形態の使用状態を示す図、図２は身体を搬送板上に固定する身体固定用バンドと手固定用バンドとを示す斜視図、図３から図５は使用例を示す斜視図である。
【００２２】
本実施の形態の救命搬送具は、身体を載せる搬送板（バックボードとも呼ばれる）１と、身体Ｐを搬送板１上に固定する身体固定用バンドＢａと、手を固定するための手固定用バンドＴを備える。本実施の形態では、一つの搬送板１に対して３本の身体固定用バンドｂａと一つの手固定用のバンドＴが組みになって使用される。
【００２３】
搬送板１は、合成樹脂製の板状のもので、中央がやや窪んでおり負傷者等の身体Ｐがそこに納まり易くなっている。搬送板１の長手方向の左右には、バンドＢａを通す開口４ａ，４ｂ，４ｃが所定間隔をおいて複数形成されている。この開口４ａ，４ｂ，４ｃは、大きさや位置が異なるものが複数形成されている。本実施の形態では、これらの種類の異なる開口４ａ，４ｂ，４ｃが各々対向する位置に形成されている。
【００２４】
身体固定用バンドＢａは、全体を伸縮性のある面ファスナーとしても良いし、伸縮性の素材に面ファスナーを部分的に取り付けて身体固定用バンドとしたり、伸縮性を有しないものに面状ファスナーが取り付けたものでも可能である。伸縮性の素材に面ファスナーを部分的に取り付ける場合は、身体固定用バンドの素材としては、この面ファスナーが取り付けられる伸縮性の素材であれば良く、その材質は問われない。身体固定用バンドＢａとする理由は、負傷者等の身体Ｐを伸縮性を持って固定するためである。面ファスナーの原理は、小さなループがびっしり並んだループ面と細かいカギ状（フック部とも呼ばれる）になっているフック面との２面からなるもの、同じ面にフックとループを並べて一つの面でフック面とループ面の二面の働きをするものなどがある。前者は、同じ面同士は止着することなく、一方の面ｂ１が他方の面ｂ２とのみ互いに止着し合う。後者は、同じ面同士でも止着する。本実施の形態のものは、上記いずれでも適用可能である。伸縮性を有しない身体固定用バンドの場合は、負傷者のうっ血（止血）を防止する。
【００２５】
図２（ｂ）に示す例は、伸縮性の素材に面ファスナーを部分的に取り付けたもので、この身体固定用バンドＢａの長手方向の両端側に面ファスナーである接着部Ｆ１が縫合されている。図２（ｃ）に示す例は、身体固定用バンドＢａの長手方向の両端側に第１の接着部Ｆ１と第２の接着部Ｆ２が間隔をおいて配されている。これは二箇所で面ファスナーの固定状態を得て、負傷者等の身体Ｐを確実に固定するためである。第１の接着部Ｆ１と第２の接着部Ｆ２が上記面ファスナーのフック面或いはループ面の一方からなり、身体固定用バンド（伸縮性の素材）Ｂａがこれと止着し合うループ面或いはフック面を有している。なお、この身体固定用バンドＢａの両面ｂ１，ｂ２の一方が上記ループ面からなり、他方がフック面の一方からなり、身体固定用バンドＢａの両端部側で表裏面ｂ１，ｂ２の止着状態が得られるようにしても良い。
【００２６】
手を固定するための手固定用バンドＴは、伸縮性の素材を８の字状に縫合したもので、負傷者等の両手を通すために８の字状に形成されている（図２（ａ））。手固定用のバンドＴには、身体固定用バンドＢａと止着するための面ファスナーが縫合されている。この手固定用バンドＴは、手の動きを制止させるために身体固定用バンドＢａと止着することが要求されるが、上記一部に面ファスナーを取り付けるものではなく、全体が身体固定用バンドＢａと止着する面ファスナーにより構成されていても良い。
【００２７】
次に、この救命搬送具１の実際の使用例を説明する。ここでは、救急車で交通事故現場に向かい負傷者等の身体Ｐを事故現場で収容して救急車に載せる例で説明する。なお、本明細書中の「救命搬送具」には、これを介護用に使用する場合も含まれる。
【００２８】
（使用例１）
本実施の形態の救命搬送具１は、救急車に搬送板１と３本のバンドＢａを別々にして運搬して、事故現場では、このバンドＢａの中央部を身体Ｐの所定箇所に押さえ付けるように配する（図１）。ここでは、３本の身体固定用バンドＢａを使用して、各々の中央を負傷者等の身体Ｐの胸付近、腰付近と脚の部分を押さえ付けるようにする。そして、身体固定用バンドＢａの両端側ｈ，ｒを対向する開口４ｃに各々表側から通してから、搬送板１の外周縁１ｅから表側に捲き戻すようにして、身体固定用バンドＢａの両端側をその中央側と各々止着させる。搬送板１の外周縁１ｅから表側に捲き戻すのではなく、他の開口（４ａ、４ｂ等）から表側に捲き戻すようにしても良い。ここで、身体固定用バンドＢａの両端側ｈ，ｒを互いに止着させたり、身体固定用バンドＢａの両端側ｈ，ｒを互いに止着させるとともに、身体固定用バンドＢａの両端側ｈ，ｒの一方をその中央側と止着させたりしても良い。上記第１の接着部Ｆ１と第２の接着部Ｆ２を有するものでは（（図２（ｃ））、各々二箇所で固定状態を得ることができるので止着状態が強固になる。
【００２９】
身体固定用バンドＢａの長さ調節は、身体固定用バンドＢａの両端ｈ，ｒを捲き戻すようにしてその中央側と止着させる等するので、負傷者等の身体Ｐを固定する作業と同時に行われることになる。他方、負傷者等を病院などで降ろすときは、面ファスナーによる止着を解除させるだけで、容易に負傷者等を固定状態から解放させることができる。
【００３０】
上記３本の身体固定用バンドＢａは、面ファスナーを有するもので、身体固定用バンドＢａの交換が容易であるが、色違いのものを用意して負傷者の負傷の程度に応じて使い分けることも可能である。すなわち、搬送者や搬送者に付き添う医師・看護士等が負傷者の負傷の程度が重症であると判断した場合は、例えば赤色の身体固定用バンドＢａを使用して、軽傷であると判断した場合は、例えば青色の身体固定用バンドＢａを使用して、病院に運ばれた後の対応を迅速ならしめるような使用方法である。
【００３１】
また、負傷者の身体Ｐの胸付近を固定するバンドＢａを使用して、負傷者の手も同時にバンドＢａで固定することも可能であるが、負傷していても手を動かすと固定作業の邪魔になる。一方で、負傷者等において手の動きが完全に制止されると、手で搬送者や医師・看護士などに何か知らせたいとき（合図したいとき）や、搬送姿勢において窮屈な場合もある。そこで、身体固定用バンドＢａとは別の手固定用バンドＴを使用する。
【００３２】
すなわち、８の字状の手固定用バンドＴに両手を通して、これを負傷者の身体を固定した身体固定用バンド（腰付近を固定した身体固定用バンド）Ｂａの面ファスナーの性質を利用して止着させる。これにより、負傷者の手の動きを一時的に固定することが出来、搬送の途中で手を動かして搬送者や医師・看護士などに何か知らせたいときなどは、止着を解除することが容易である。
【００３３】
（使用例２）
上記救命搬送具１は、図３に示すように、身体固定用バンドＢａの両端側ｈ，ｒのうちの一端側ｒは、予め搬送板１の開口４ｃに通してから搬送板１の他の開口（４ａ，４ｂ等）や外周縁１ｅから捲き戻すようにしてその中央側と止着させておき、事故現場まで運搬する。現場で即座に負傷者の身体の固定作業に入ることが出来るとともに、搬送板１と身体固定用バンドＢａを別々に搬送する必要がなく、身体固定用バンドＢａを忘れたり紛失したりすることを防止することができる。
【００３４】
事故現場では、搬送板に負傷者等を寝かせた後、身体固定用バンドＢａの他端側ｈを引っ張るようにして、中央部を身体Ｐの所定箇所に押さえ付けるように配してから、身体固定用バンドＢａの他端側ｈを開口４ｃに通してから、搬送板１の他の開口（４ａ，４ｂ等）や外周縁１ｅから捲き戻すようにしてその中央側と止着させるか、又は、身体固定用バンドＢａの両端側ｈ，ｒを互いに止着させる等すると、負傷者等の身体Ｐを搬送板１上に動かないように速やかに固定することができる。
【００３５】
（使用例３）
上記救命搬送具１は、図４に示すように、身体固定用バンドＢａの両端側ｈ，ｒを搬送板１の裏面側から開口（例えば４ｃ）に通して搬送板１の表側で、身体Ｐを固定する方法である。ここで、上記状態で現場まで搬送しても良く、身体固定用バンドＢａを搬送板１と別に搬送して、上記のように搬送板１の裏面に身体固定用バンドＢａを通して身体Ｐを固定してもよい。
【００３６】
（その他の使用例）
以上の使用例は、負傷者等を搬送する場合の代表例であるが、次のような使用も可能である。例えば、負傷箇所が頭や顔面などを動かさずに搬送させる必要がある場合、身体固定用バンドＢａの長さを調節しながらその箇所を確実に速やかに固定することができる。従来のバックルｂｂ１を取り付けたものでは、バックルｂｂ１が頭や顔に当たるが、本実施の形態ではかかる心配は無い。また、伸縮性の素材や面ファスナーＦ１を使用しているので、止血の役割、すなわち包帯の代用品としての使用も可能である。
【００３７】
また、脊髄の損傷等の場合は、搬送板１上にしっかりと何ヶ所も幾重にも固定する必要があるが、従来のバックルｂｂ１を備えたバンドＢａを何箇所も幾重にも固定すると、上記バックルｂｂ１が邪魔になったり、固定に時間がかかる。しかし、本実施の形態では、例えば、上記３箇所の固定のほかに、たすき掛けのように幾重に重ねる使用が可能である（図５）。幾重に重ねても、面ファスナーの止着の性質により、さらに重なり合いによる止着も可能にする面ファスナーを取り付けておいても良い。なお、上記実施の形態では、対向する開口（例えば４ｃ）に身体固定用バンドＢａの両端部ｈ，ｒを通することとしたが、任意の開口（例えば４ａ，４ｂ）を利用して負傷者等の状態に応じて身体固定用バンドＢａで固定することも可能である。
【００３８】
（実験）
次に、上記実施の形態の使用例１，２，３と従来例とを比較する実験を行った。実験は、救急車の救急隊の隊員が行った。使用例１では、上記対向する一対の開口４ｃを使用して、身体固定用バンドＢａの両端側ｈ，ｒを対向する開口４ｃに各々表側から通してから、搬送板１の外周縁１ｅから表側に捲き戻すようにして、身体固定用バンドＢａの両端側ｈ，ｒをその中央側と各々止着させた。使用例２と使用例３は、上記の通りである。従来例はバックルｂｂ１を使用するものである。いずれも、負傷者等の身体Ｐの胸付近、腰付近と脚の部分の３箇所を固定することとした。その結果を表１に示す。
【００３９】
【表１】
2005021588.tif 000003
【００４０】
表１に示すように、最も早く固定できたのは、予め身体固定用バンドＢａの片側を搬送板１にくくりつけておく使用例２である。しかし、このように予め身体固定用バンドＢａを搬送板の開口４ｃにくくりつけるようにして運搬すると、負傷者等を搬送板１に寝かせるときに、上記括りつけた身体固定用バンドＢａが邪魔になることがあった。次に早く固定できたのは、使用例１であり、次に使用例３であった。使用例３では、身体固定用バンドＢａを搬送板１の裏側から開口４ｃに通すためにその作業に時間がかかること、裏側に物が挟み込まれないかの確認も必要になった。作業効率、点検・確認（接合部の確認）の点ら最も作業員（搬送する救急隊員）に好評な使用例は使用例１と使用例２であった。
【産業上の利用可能性】
【００４１】
本発明は、事故などの際に負傷者等を搬送するときに、負傷者等の身体を搬送板上に動かないように速やかに確実に固定することができ、その解除も容易で、しかも負傷者等の手の動きにも対応できるようになる。
【図面の簡単な説明】
【００４２】
【図１】本発明の一実施の形態の救命搬送具の使用状態を示す斜視図である。
【図２】上記一実施の形態の身体固定用バンドと手固定用バンドを示す斜視図である。
【図３】上記一実施の形態の救命搬送具を示す斜視図である。
【図４】上記一実施の形態の救命搬送具の斜視図である。
【図５】上記一実施の形態の使用例を示す斜視図である。
【図６】従来の救命搬送具の斜視図である。
【符号の説明】
【００４３】
１      救命搬送具、
１ｅ    外周縁、
Ｂａ    身体固定用バンド、
ｈ，ｒ  身体固定用バンドの両端側、
４ａ，４ｂ，４ｃ      開口、
Ｐ      負傷者等の身体、
Ｔ      手固定用のバンド
【図１】
2005021588.tif 000004
【図２】
2005021588.tif 000005
【図３】
2005021588.tif 000006
【図４】
2005021588.tif 000007
【図５】
2005021588.tif 000008
【図６】
2005021588.tif 000009